(57)【要約】【課題】解決しようとする課題は、その開口方向がリザーブ液の注入口の開口方向と大きな角度をなすリザーブタンクのリザーブ液の送出パイプの内面の形状の寸法を規制できないという点である。本発明は上記の点を解決するためになされた。【解決手段】パリソン押し広げ装置によりパリソンを押し広げ、次いでリザーブ液の注入口規制体スライド装置を作動させ、注入口規制体を突き出して注入口キャビティー内に挿入し、同様にリザーブ液の送出パイプ規制体スライド装置を作動させ、送出パイプ規制体を突き出して送出パイプキャビティー内に挿入し、その後型締めし、その後該パリソン内に圧縮空気を吹き込むことにより前記課題を解決した。【選択図】図５
2006297951.tif 000002
【特許請求の範囲】
【請求項１】
口体とパイプ体とを一体成形するタンク体のブロー成形においてパリソン押し広げ装置によりパリソンを押し広げ、次いで口体規制体スライド装置を作動させ、口体規制体を突き出して口体キャビティー内に挿入し、同様にパイプ体規制体スライド装置を作動させ、パイプ体規制体を突き出してパイプ体キャビティー内に挿入し、その後型締めし、その後該パリソン内に圧縮空気を吹き込むことを特徴とするタンク体の製造方法
【請求項２】
請求項１において口体規制体及びパイプ体規制体を突き出す時期が、型締めと同時、または型締め以後となることを特徴とするタンク体の製造方法
【請求項３】
請求項１及び請求項２において、口体規制体の突き出し方向とパイプ体規制体の突き出し方向とのなす角の角度が６０度以上であることを特徴とするタンク体の製造方法
【請求項４】
請求項１及び請求項２及び請求項３において、口体規制体スライド装置自体とパイプ体規制体スライド装置自体とを移動させることで、パリソン押し広げ装置の機能をも兼ねることを特徴とするタンク体の製造方法
【請求項５】
請求項１及び請求項２及び請求項３及び請求項４において、タンク体がリザーブタンクであり、口体がリザーブ液の注入口であり、パイプ体がリザーブ液の送出パイプであることを特徴とするタンク体の製造方法
【発明の詳細な説明】
【技術分野】
【０００１】
本発明は、一体成形されるリザーブ液の送出パイプの開口方向が該リザーブ液の注入口の開口方向と大きな角度をなす自動車用のブロー成形製リザーブタンク等の製造方法に関する。
【背景技術】
【０００２】
リザーブタンクのブロー成形に関する従来技術としては特許文献１に示されるようなものがある。
【特許文献１】特開平７−３２４６２３
【０００３】
しかしブロー成形の特性上、該特許文献１に示されるような方法では成形物の内面の形状を寸法規制できないという欠点があった。
【０００４】
図１は従来のリザーブタンクの斜視図である。１は該リザーブタンク、２はリザーブ液の注入口、３は該リザーブタンク１と一体成形された該リザーブ液の送出パイプ、４はブロー成形時の半溶融の熱可塑性樹脂からなるパリソンであり該リザーブタンク１とのブロー成形時の位置関係を表している。
【０００５】
図２は図１内のＢ−Ｂ断面を表す従来の該リザーブタンク１の型内断面図である。分割金型５、５は図１内のＡ、Ａの方向から型締めされる。成形後バリ６，６等の不要部分をカットライン７にてカットし除去している。
【０００６】
図1に示すように、該リザーブタンク１には内面の形状の寸法規制を必要とする個所として該注入口２と該送出パイプ３の２個所があるが、該注入口２はその開口の向きが該パリソン４の押出し方向と一致しているため、ブロー成形機の押出しヘッド（図示せず）に取付けられた内面形状寸法規制体（図示せず）により容易に内面形状の寸法を規制し得るが、該送出パイプ３はその開口方向が該注入口２の開口方向と大きな角度をなしているので該注入口２と同様の手段では内面８の形状の寸法を規制できなかった。
【発明の開示】
【発明が解決しようとする課題】
【０００７】
解決しようとする課題は、リザーブ液の注入口とリザーブ液の送出パイプとを一体成形するリザーブタンクの、その開口方向がリザーブ液の注入口の開口方向と大きな角度をなすリザーブ液の送出パイプは内面の形状の寸法を規制できないという点である。本発明は上記の点を解決するためになされた。
【課題を解決するための手段】
【０００８】
本発明は、リザーブタンクのブロー成形においてパリソン押し広げ装置によりパリソンを押し広げ、次いでリザーブ液の注入口規制体スライド装置を作動させ、注入口規制体を突き出して注入口キャビティー内に挿入し、同様にリザーブ液の送出パイプ規制体スライド装置を作動させ、送出パイプ規制体を突き出して送出パイプキャビティー内に挿入し、その後型締めし、その後該パリソン内に圧縮空気を吹き込むことを最も主要な特徴とする。
【０００９】
また、リザーブ液の注入口規制体及びリザーブ液の送出パイプ規制体を突き出す時期が、型締めと同時、または型締め以後となる場合を２番目の特徴とする。
【００１０】
また、リザーブ液の注入口規制体の突き出し方向とリザーブ液の送出パイプ規制体の突き出し方向とのなす角の角度が６０度以上である場合を３番目の特徴とする。
【００１１】
また、リザーブ液の注入口規制体スライド装置自体とリザーブ液の送出パイプ規制体スライド装置自体とを移動させることで、パリソン押し広げ装置の機能をも兼ねる場合を４番目の特徴とする。
【発明の効果】
【００１２】
本発明によれば注入口及び送出パイプはパリソンの当該部分が注入口キャビティーと注入口規制体、及び送出パイプキャビティーと送出パイプ規制体にそれぞれ挟まれたまま冷却され、その内面の形状は該注入口規制体及び該送出パイプ規制体の外形がそのまま転写されるので非常に精度の高い寸法が得られるという利点がある。
【発明を実施するための最良の形態】
【００１３】
リザーブタンクにおいて、その開口方向がリザーブ液の注入口の開口方向と大きな角度をなすリザーブ液の送出パイプの内面の形状の寸法を規制するという目的を、パリソン押し広げ装置によりパリソンを押し広げ、次いでリザーブ液の注入口規制体スライド装置によりリザーブ液の注入口規制体を突き出すと共にリザーブ液の送出パイプ規制体スライド装置によりリザーブ液の送出パイプ規制体を突き出させ、その後型締めし、その後該パリソン内に圧縮空気を吹き込むことによって、ブロー成形の持つ経済性を損なわずに実現した。
【実施例１】
【００１４】
本発明の構成を発明の実施の形態に基づいて説明すると次の通りである。尚、従来例と同一の符号は同一の部材を表す。
【００１５】
図３は、本発明の１実施例を示す断面図であり、分割金型５にはリザーブタンクキャビティー１１及び、軸対称形状の注入口キャビティー１２や同じく軸対称形状の送出パイプキャビティー１３が形成されている。
【００１６】
該注入口キャビティー１２の軸対称形状の軸方向は注入口規制体スライド装置（スライド機構は図示せず）２２のスライド方向と一致させてあり、同様に該送出パイプキャビティー１３の軸対称形状の軸方向は送出パイプ規制体スライド装置（スライド機構は図示せず）３２のスライド方向と一致させてある。
【００１７】
また図３中、分割金型５の型内空間に半溶融の熱可塑性樹脂からなるパリソン４が押出しヘッド（図示せず）より垂下し、該分割金型５の下方に位置づけられた注入口規制体２１及び送出パイプ規制体３１を該パリソン４の内側に含むことができる該パリソン４のサイズ及び位置関係をもって、該パリソン４が該注入口規制体スライド装置２２と該送出パイプ規制体スライド装置３２の双方に引っ掛かった状態で止まっている。
【００１８】
尚、該パリソン４に適用される樹脂としてはポリプロピレン、ポリエチレン、ＡＢＳ樹脂等の汎用樹脂やエンジニアリングプラスチック類や熱可塑性エラストマー等、ブロー成形が可能な樹脂であれば何でも良い。
【００１９】
次に図４、図５により本発明の作用を説明する。先ず、図４に示すように該注入口規制体スライド装置２２と該送出パイプ規制体スライド装置３２は該パリソン４を引っ掛けた状態のままエアシリンダー等（図示せず）の作動によりほぼ同時に図中左右方向に移動し、該パリソン４を押し広げる。
【００２０】
次に図５に示すように該注入口規制体スライド装置２２を作動させ、該注入口規制体２１を突き出して該注入口キャビティー１２内に挿入し、同様に該送出パイプ規制体スライド装置３２を作動させ、該送出パイプ規制体３１を突き出して該送出パイプキャビティー１３内に挿入する。
【００２１】
その後、該分割金型５が図５の表裏の方向に型締めされ、エア孔２３から該パリソン４内に圧縮空気が吹き込まれて該パリソン４は賦形される。
【００２２】
その後、型開きして成形物を型内より取り出し、バリ等不要な部分を除去して完成品となすが、該完成品は該注入口規制体２１及び該送出パイプ規制体３１によって該注入口２及び該送出パイプ３の内径が規制されているので該内径の寸法の精度は非常に高いものが得られる。
【００２３】
また、上記実施例では該注入口規制体スライド装置２２を作動させ、該注入口規制体２１を突き出して該注入口キャビティー１２内に挿入し、同様に該送出パイプ規制体スライド装置３２を作動させ、送出パイプ規制体３１を突き出して該送出パイプキャビティー１３内に挿入した後に該分割金型５を型締めする例を示したが、該分割金型５を型締めすると同時、または型締め以後に、該注入口規制体スライド装置２２を作動させ、注入口規制体２１を突き出して該注入口キャビティー１２内に挿入し、同様に該送出パイプ規制体スライド装置３２を作動させ、送出パイプ規制体３１を突き出して該送出パイプキャビティー１３内に挿入する態様であっても良い。
【００２４】
また、上記実施例では該パリソン４を押し広げるのに該注入口規制体スライド装置２２と該送出パイプ規制体スライド装置３２をもってしたが、別体のパリソン押し広げ装置（図示せず）を独立に用意しても良い。
【００２５】
以上実施例に述べたように本発明によれば、リザーブ液の注入口規制体スライド装置とリザーブ液の送出パイプ規制体スライド装置によりパリソンを押し広げ、次いで該注入口規制体スライド装置を作動させ、注入口規制体を突き出して注入口キャビティー内に挿入し、同様に該送出パイプ規制体スライド装置を作動させ、送出パイプ規制体を突き出して送出パイプキャビティー内に挿入し、その後型締めし、その後該パリソン内に圧縮空気を吹き込むことによって、注入口及び送出パイプは該パリソンの当該部分が該注入口キャビティーと該注入口規制体、及び該送出パイプキャビティーと該送出パイプ規制体にそれぞれ挟まれたまま冷却されその内面の形状は該注入口規制体及び該送出パイプ規制体の外形がそのまま転写されるので非常に精度の高い寸法が得られるという効果がある。
【００２６】
尚、実験によれば図５中に示される該注入口規制体２１の突き出し方向と該送出パイプ規制体３１の突き出し方向のなす角ａの角度が６０度以上の場合に本発明の効果が特に大きいことが判明している。
【００２７】
また、上記実施例では自動車用のリザーブタンクと、リザーブ液の注入口と該リザーブ液の送出パイプを例に挙げて説明したが、該注入口に類似の口体の開口の向きと該送出パイプに類似のパイプ体の開口の向きとのなす角の角度が大きい一般のブロー成形製タンク体の製造に本発明を拡張適用することは容易になし得るところである。
【産業上の利用可能性】
【００２８】
本発明は、自動車用のリザーブタンクのみならず、口体の開口の向きとパイプ体の開口の向きとのなす角の角度が大きい一般のブロー成形製タンク体に付随する該口体と該パイプ体の内面の形状の寸法を規制しながら一体成形したいというような場合に広く利用可能である。
【図面の簡単な説明】
【００２９】
【図１】従来のリザーブタンクの斜視図
【図２】図1内のＢ−Ｂ断面を表す従来のリザーブタンクの型内断面図
【図３】本発明の１実施例を示す断面図
【図４】本発明の作用を示す断面図
【図５】本発明の作用を示す断面図
【符号の説明】
【００３０】
１    リザーブタンク
２    注入口
３    送出パイプ
４    パリソン
５    分割金型
６    バリ
７    カットライン
８    内面
１１    リザーブタンクキャビティー
１２    注入口キャビティー
１３    送出パイプキャビティー
２１    注入口規制体
２２    注入口規制体スライド装置
２３    エア孔
３１    送出パイプ規制体
３２    送出パイプ規制体スライド装置
ａ      角
【図１】
2006297951.tif 000003
【図２】
2006297951.tif 000004
【図３】
2006297951.tif 000005
【図４】
2006297951.tif 000006
【図５】
2006297951.tif 000007